(57)【要約】      （修正有）【課題】実像カムコーダとテレビジョンとの間で移動ウィンドウにより処理が行われる画像処理装置、実像投射範囲への３次元画像の導入及び制御、デバイスを得るためのプロセスを提供する。【解決手段】移動ウィンドウによる実像カムコーダからの光電インパルスにより画像を再生すること、液晶における移動ウィンドウによる画像再生から生じた光線をフィルタリングすること、ＣＣＤ上に光線を落下させること、に関する処理がなされる。ＣＣＤからの電気的インパルスは、透明再生デバイスにおける３次元画像カムコーダによって、オーバーレイされている画像に関し、画像処理デバイス又は実像テレビジョンから生じた光線のフィルトレーションにおいて、実像テレビジョン内で再生される。３次元画像は、画像の移動ウィンドウに対する変位と画像のオーバーレイとによる、実像テレビジョン表面の背後にある平面に対する画像投影距離に関係するため、制御可能である。【選択図】図１
2015008450.tif 000002
【特許請求の範囲】
【請求項１】
実像カムコーダと実像テレビジョンとの間で移動ウィンドウにより処理が行われる画像処理装置、実像投射範囲への３次元画像の導入および制御、前記デバイスを得るためのプロセスであって、画像レセプタにおける再生による実像カムコーダの電荷結合デバイス（ＣＣＤ）上に落下する光線から走査された光電インパルスの伝送と、前記画像レセプタからの光線が移動ウィンドウによりフィルタリングされることと、前記光線が次に別のＣＣＤ上に落下することと、前記走査された光電インパルスが実像テレビジョンに送られることと、３次元画像の導入が半透明の液晶における画像再生によって実行されることと、導入された画像の制御がカーソル上を移動する装置によって実行されることと、製品を得るためのプロセスが、画像レセプタ、画像半透明レセプタ、移動ウィンドウ液晶および画像パラメータ情報の同期を伴うＣＣＤの組であることとを特徴とする、実像カムコーダと実像テレビジョンとの間で移動ウィンドウにより処理が行われる画像処理装置、実像投射範囲への３次元画像の導入および制御、前記デバイスを得るためのプロセス。
【請求項２】
請求項１に記載の実像カムコーダと実像テレビジョンとの間で移動ウィンドウにより処理が行われる画像処理装置であって、画像レセプタにおける再生を伴う実像カムコーダのＣＣＤ上に落下する光線からの走査された光電インパルスの伝送と、この画像レセプタからの光線が移動ウィンドウによってフィルタリングされることと、次に、前記光線が別のＣＣＤ上に落下することと、走査された光電インパルスが実像テレビジョンに送られることとを特徴とする、画像処理装置。
【請求項３】
請求項１に記載の実像処理デバイスのウィンドウの位置であって、前記ウィンドウが、対称的に配置された他の実像処理デバイスの複数のウィンドウに対して開いており、前記開いたウィンドウは他のカムコーダに対し、実像テレビジョンのウィンドウは決定された時間の間に決定された画像に対する、実像処理デバイスの位置。
【請求項４】
実像カムコーダの液晶と実像テレビジョンと実像処理デバイスとにおいて迅速に開く移動ウィンドウであって、前記液晶の全表面における点状の移動ウィンドウが1秒の何分の1かの間に迅速に開くことにより、すべての移動ウィンドウが同時に開いているという印象を見ている者に与えることを特徴とする移動ウィンドウ。
【請求項５】
実像カムコーダと実像テレビジョンとの間に導入された３次元画像を移動ウィンドウによって処理する装置、デバイスを得るプロセスであって、画像再生デバイスと、画像半透明再生デバイスと、開いたウィンドウを備えた液晶と、ＣＣＤとによって形成される組を特徴とする、実像カムコーダと実像テレビジョンとの間に導入された３次元画像を移動ウィンドウによって処理する装置、デバイスを得るプロセス。
【請求項６】
請求項１に記載の実像投影範囲における３次元実像の導入であって、画像処理デバイスまたは実像テレビジョンからの光線のフィルトレーションステップにおいて、カムコーダの移動ウィンドウフィルタから半透明の液晶表面上への投影角度が同じである画像再生により画像を導入することと、３次元画像を実像テレビジョンの投影範囲に挿入するように設定された前記半透明の液晶は、画像再生デバイスと半透明の液晶再生デバイスとによって形成されることと、両者の再生デバイスは半透明の液晶で構成されることが可能であることと、画像のオーバーレイは、前記画像処理デバイス画像再生デバイスによって、または、実像テレビジョン画像再生デバイスによって実行されることと、挿入された３次元画像は、実像カムコーダによって、または、実像テレビジョンの移動ウィンドウフィルタにおけるそれぞれの角形成に対する投影角度が同じであるコンピュータグラフによって生成された画像によって得られる、３次元実像の導入。
【請求項７】
請求項１に記載の実像投影範囲における３次元実像制御であって、視野に挿入された３次元画像の実像テレビジョンまでの距離の変動は、開いているウィンドウに対する画像の横方向の変位によって得られることと、ある対象物が他の対象物の前方または背後に配置されているという印象を得るためには、要求されるときには、半透明の液晶に挿入された画像のシーケンシャルなオーバーレイがなされなければならないことと、複数の画像をオーバーレイする別の方法は、前記画像における対象物の輪郭を識別し、ある画像を別の画像の上にオーバーレイすることによって、電子的に実行されることと、３次元画像の減少または増加は、見ている者までの距離を、より近くまたはより遠くのそれぞれに変動させることでなされなければならないことと、グラフィックな３次元の描画が、グラフィックな対象物を有する視野として、導入され得ることと、前記導入された３次元画像は、様々な角度での３次元画像の記録を伴う走査されたコマンドによって画像深度、位置および角形成に関係するように、見ている者により制御されることと、視野に挿入された３次元画像の制御は、マウス、ジョイスティック、感知性手袋またはカーソルを位置決めする別の制御システムによって実行されることと、実像の同期を制御するには、以下の情報、すなわち、平行なウィンドウフィルタ投影から得られた画像、前記画像が得られた時刻および移動ウィンドウ表面とＣＣＤとの間の距離が要求されることとを特徴とする、３次元実像制御。
【発明の詳細な説明】
【技術分野】
【０００１】
本発明は、実像カムコーダと実像テレビジョンとの間で移動ウィンドウにより処理が行われる、画像処理装置に関する。
【背景技術】
【０００２】
製品を得るためのプロセス
現在、実像カムコーダと実像テレビジョンとの間で移動ウィンドウにより行われる画像処理は、ブラジル特許出願公開第１０２０１３０１７０５７号において教示されているように、画像変位を用いて電子的に記載される。
【先行技術文献】
【特許文献】
【０００３】
【特許文献１】ブラジル特許出願公開第１０２０１３０１７０５７号
【発明の概要】
【発明が解決しようとする課題】
【０００４】
電子的画像処理における既存の問題は、電子的処理が迅速性を要求するという点に見いだされる。
【課題を解決するための手段】
【０００５】
その解決策は、そのような画像処理を、電子的処理手段を用いることなく行うことである。
本特許出願に開示されている装置およびデバイスは、画像を取り扱い、実像を用いる製品を開発する企業によって、産業的な規模で製造されうる。
【０００６】
本発明は、実像カムコーダのＣＣＤ（電荷結合デバイス）の中に落下する光線から、画像再生デバイスにおけるカムコーダのＣＣＤ（第１のＣＣＤ）の中に落下する画像を再生する画像再生デバイスに至る画像を処理する処理装置に関してなされるが、しかし、本発明は、画像再生デバイスから生じた画像から生じた光線を、カムコーダにおける移動ウィンドウを伴う同期画像処理デバイスからの液晶における移動ウィンドウを通過させることに関してなされる。画像処理デバイスの（第２のＣＣＤである）ＣＣＤの電気インパルスは、更に、再生されるためにレコーダに伝送され、または、移動ウィンドウにより実像を生成するテレビジョンに伝送される。以下の情報が、複数の実像を同期させるために要求される。すなわち、移動ウィンドウフィルタ投影から得られた画像、画像が得られた時刻、移動ウィンドウフィルタに対する開放されたウィンドウの位置、およびＣＣＤに対する移動ウィンドウフィルタの距離である。
【０００７】
実像テレビジョンの視野への実像の挿入は、画像処理デバイスまたは実像テレビジョンからの光線フィルトレーションのステップにおける実像カムコーダの移動ウィンドウフィルタからの同じ投影を用いた画像再生により、画像を半透明の液晶表面の中に導入することによって、なされる。３次元画像を実像テレビジョンの投影範囲の中に挿入する半透明の液晶の組は、画像再生デバイスと半透明の液晶再生デバイスとから構成される。再生デバイスは、半透明の液晶で作られたタイプでありうる。画像のこのオーバーレイは、画像処理デバイスにおける画像再生デバイスまたは実像テレビジョンの画像再生デバイスにおいてなされる。挿入された３次元画像は、実像カムコーダか、または、実像テレビジョンにおけるそれぞれの移動ウィンドウフィルタの角形成に対して明確な投影角度を有するコンピュータグラフによって生成された画像によって、得られる。視野に挿入された３次元画像の実像テレビジョンまでの距離の変動は、開いているウィンドウに対する画像の横方向の変位によって得られる。半透明の液晶に挿入されたシーケンス画像におけるオーバーレイは、要求されるときには、ある対象物が他の対象物の前方または背後に配置されているという印象を得るために、なされなければならない。複数の画像をオーバーレイする別の方法は、画像における対象物の輪郭を識別し、ある画像を別の画像の上にオーバーレイすることによって、電子的になされる。３次元画像の増加または減少は、見ている者までの距離を、より遠くまたはより近くのそれぞれに変動させることで、なされなければならない。グラフィックな３次元コンピュータ描画が、グラフィカルな対象物を伴う視野として、導入されうる。導入された３次元画像は、様々な角度での３次元画像の記録を伴う走査されたコマンドによって画像深度、位置および角形成に関係するように、見ている者により制御される。視野に挿入された３次元画像の制御は、マウス、ジョイスティック、感知性手袋またはカーソルを位置決めする別の制御システムによって、なされる。実像の同期を制御するには、以下の情報が要求される。すなわち、ウィンドウフィルタ投影から得られた画像、その画像が得られた時刻および移動ウィンドウ表面とＣＣＤとの間の距離である。
【０００８】
ウィンドウは、このテレビジョンにおけるすべてのウィンドウが視野から生じて捕捉されたすべての光線と同時に開いているという印象を見ている者に与えるような周波数で、テレビジョンの表面の全体を移動しなければならない。実像テレビジョンにおいて開いているそれぞれのウィンドウは、隣接する複数のウィンドウと近い視野角を有しているため、カムコーダにおける視野から投影されたそれ自体の画像を提供する。
【０００９】
移動ウィンドウにより実像カムコーダと実像テレビジョンとの間で画像を処理するための装置の製品を得るプロセスは、ＣＣＤ表面の配置、移動ウィンドウを備えた液晶、画像再生デバイスおよび情報の同期を伴う半透明の画像再生デバイスである。
【００１０】
新規性は、電子的処理を用いずに、液晶において移動ウィンドウを用いることから生じる。
【図面の簡単な説明】
【００１１】
【図１】図１は、ウィンドウによる実像カムコーダ（１および３）と、実像処理デバイス（５、６および８）と、ウィンドウによる実像テレビジョン（１０および１１）と、これらのデバイスを得るためのその処理とを模式的に表している。
【図２】図２は実像カムコーダを模式的に表しており、このカムコーダは、この図の上方部分において、２つの現実の対象物（αおよびα’）をその視野の中に示している。
【図３】図３は実像カムコーダを模式的に表しており、このカムコーダは、この図の上方部分において、２つの現実の対象物（βおよびβ’）をその視野の中に示している。
【図４】図４は、半透明液晶表面（１４）上への３次元投影画像（β１およびβ１’）の画像を含む３次元画像（１３、１４および１５によって形成される組）が挿入された実像テレビジョンと、その３次元画像を実像テレビジョンの投影範囲に含むその取得プロセスとを模式的に示している。
【発明を実施するための形態】
【００１２】
図１は、ウィンドウによる実像カムコーダ（１および３）と、実像処理デバイス（５、６および８）と、ウィンドウによる実像テレビジョン（１０および１１）と、これらのデバイスを得るためのその処理とを模式的に表している。ウィンドウによる実像カムコーダ（１および３）と現実の対象物（ＡおよびＡ’）とが、この図の上部分に配置されている。実像テレビジョン（１０および１１）と見ている者（ＢおよびＢ’）とが、この図の下部分に配置されている。この図の左側の描画は時刻Ｔ１を表し、この図の右側の描画は時刻Ｔ２を表す。
【００１３】
数字１は、液晶を表す。
数字２および２’は、時刻Ｔ１およびＴ２のそれぞれでの液晶（１）におけるウィンドウを表す。
【００１４】
数字３は、ＣＣＤ表面を表す。
数字４は、ＣＣＤ表面（３）に形成された画像（Ａ１およびＡ１’）から走査された光電インパルスを表し、このインパルスは、時刻Ｔ１およびＴ２のそれぞれにおいて、画像再生デバイス（５）に送られる。
【００１５】
数字５は、時刻Ｔ１およびＴ２のそれぞれにおける画像（Ａ２およびＡ２’）を伴う画像再生デバイスを表す。
数字６は、液晶を表す。
【００１６】
数字７および７’は、時刻Ｔ１およびＴ２のそれぞれにおける、液晶（６）のウィンドウを表す。
数字８は、画像再生デバイスを表す。
【００１７】
数字９は、ＣＣＤ（８）に形成された画像（Ａ３およびＡ３’）から走査され時刻Ｔ１およびＴ２のそれぞれの時点で画像再生デバイス（１０）に送られた光電インパルスを表す。
【００１８】
数字１１は、液晶を表す。
数字１２および１２’は、時刻Ｔ１およびＴ２のそれぞれでの液晶（１１）におけるウィンドウを表す。
【００１９】
文字ＡおよびＡ’は、時刻Ｔ１およびＴ２のそれぞれにおける、移動ウィンドウ経由での実像カムコーダの視野における実際の対象物である。
文字Ａ１およびＡ１’は、時刻Ｔ１およびＴ２のそれぞれにおける、実際の対象物から生じた光線によって形成された画像の落下を表し、この画像は、液晶（１）におけるウィンドウ（２および２’）を通過して実像カムコーダにおけるＣＣＤ（３）の表面の上に形成される。
【００２０】
文字Ａ２およびＡ２’は、時刻Ｔ１およびＴ２のそれぞれにおける、画像再生デバイス（５）に形成された画像を表し、これらの画像は、実像カムコーダのＣＣＤ（３）において光電インパルスから生じる。
【００２１】
文字Ａ３およびＡ３’は、画像レセプタ（５）において再生された画像（Ａ２およびＡ２’）から生じた光線によって形成された画像の落下を表しており、これらの画像は、液晶（６）におけるウィンドウ（７および７’）を通過して、時刻Ｔ１およびＴ２のそれぞれにおいて画像処理デバイスＣＣＤ（８）の表面上に形成される。
【００２２】
文字ＢおよびＢ’は、時刻Ｔ１およびＴ２それぞれにおける見る者を表す。
移動ウィンドウ（１および３）を通過する実像カムコーダの液晶（１）におけるウィンドウ位置（２および２’）と、実像処理デバイス（５、６および８）の液晶（６）のウィンドウ位置（７および７’）と、移動ウィンドウ（１０および１１）の液晶（１１）による実像テレビジョンにおけるウィンドウ位置（１２および１２’）とは、すべてが、時刻Ｔ１およびＴ２のそれぞれにおいて、これらの液晶に対し同じ位置を有する。
【００２３】
現実の対象物ＡおよびＡ’は、時刻Ｔ１およびＴ２のそれぞれにおいて、移動ウィンドウフィルタ（２および２’）を通過する光線を生成する。フィルタリングされた光線はＣＣＤ（３）に落下し、時刻Ｔ１およびＴ２において画像Ａ１およびＡ１’を形成する。この画像は、ＣＣＤ（３）の表面上に形成される。ＣＣＤ（３）による光電インパルス（４）の伝送により、画像レセプタ（５）において画像が再生される。この画像レセプタ（５）によって生成される光線のフィルトレーションは、時刻Ｔ１およびＴ２において、ウィンドウ７および７’を通過する光線の別のフィルタ（６）によって実行される。この光線フィルトレーションによって、時刻Ｔ１およびＴ２において、ＣＣＤ（８）への画像Ａ３およびＡ３’が生成される。ＣＣＤ（８）による光電インパルス（９）は、実像テレビジョンに送られる。画像再生デバイス（１０）は、時刻Ｔ１およびＴ２において画像Ａ４およびＡ４’を再生して、この画像が、移動ウィンドウフィルタ（１１）を通過する光線を再生する。実像テレビジョンおよび移動ウィンドウによって生成される光線は、移動ウィンドウによって実像カムコーダにおいてフィルタリングされた光線と同じ特徴を有する。1秒の何分の1かの間に生成される別個の複数の光線が、見る者に、これらのフィルタリングされた複数の光線によって実像テレビジョンの視野が同時に満たされるという印象を与える。
【００２４】
図２は実像カムコーダを模式的に表しており、このカムコーダは、この図の上方部分において、２つの現実の対象物（αおよびα’）をその視野の中に示している。その実像には、テレビジョン投影範囲の画像（α１およびα１’）が示されている。
【００２５】
図３は実像カムコーダを模式的に表しており、このカムコーダは、この図の上方部分において、２つの現実の対象物（βおよびβ’）をその視野の中に示している。その実像には、テレビジョン投影範囲の画像（β１およびβ１’）が示されている。
【００２６】
図４は、半透明液晶表面（１４）上への３次元投影画像（β１およびβ１’）の画像を含む３次元画像（１３、１４および１５によって形成される組）が挿入された実像テレビジョンと、その３次元画像を実像テレビジョンの投影範囲に含むその取得プロセスとを模式的に示している。画像レセプタ（１３）が、図の上方部分に配置されている。画像（１４）の受け取りを備えた半透明の液晶画像レセプタが、画像レセプタ（１３）にオーバーレイされる。
【００２７】
画像α１と画像β１との間、そして時刻Ｔ４における画像α１’と画像β１’との間に表されている斜めの線により、実像テレビジョンの画像レセプタにおいて液晶表面上にオーバーレイされた半透明の液晶表面を見ることが可能になる。移動ウィンドウ（１５）による光線フィルタは、図４の下方部分に配置されている。図４の左側は時刻Ｔ３を表し、図４の右側は時刻Ｔ４を表す。
【００２８】
数字１３は、画像レセプタを表す。
数字１４は、半透明な液晶である画像レセプタを表す。
数字１５は、移動ウィンドウの光線フィルタを表す。
【００２９】
文字α１は、時刻Ｔ３において実像カムコーダから生じた、現実の対象物からの画像である。
文字α１’は、時刻Ｔ４において実像カムコーダから生じた、現実の対象物からの画像である。
【００３０】
文字β１は、別の実像カムコーダから生じ半透明液晶に再生された画像であり、３次元画像（図３）または移動ウィンドウフィルタに対して同一の投影角度を有するグラフ３次元コンピュータ画像を、時刻Ｔ３において実像テレビジョンに挿入する。
【００３１】
文字β１’は、別の実像カムコーダから生じ半透明液晶に再生された画像であり、３次元画像（図３）または移動ウィンドウフィルタに対して同一の投影角度を有するグラフ３次元コンピュータ画像を、時刻Ｔ４において実像テレビジョンに挿入する。
【００３２】
３次元画像が挿入された前記実像テレビジョンは、見ている者（Ｏ）に、1秒の何分の1かの間に光線が生成され実像が形成される（α１はβ１上にオーバーレイされ、α１’はβ１’上にオーバーレイされる）時刻Ｔ３およびＴ４において交差する光線の知覚を与える。
【００３３】
時刻Ｔ３において、３次元画像が挿入された実像テレビジョンは、その画像が処理された後での、実像カムコーダ（図２）からの現実の対象物（α）から生じたα１画像を備えた画像レセプタ（１３）を示す。前記半透明の画像レセプタ（１４）は、実像カムコーダから生じた画像（β１）を受け取り、３次元画像（図３）または実像テレビジョンの移動ウィンドウフィルタに対して同一の投影角度を有するグラフ３次元コンピュータ画像を挿入する。半透明の画像レセプタ（１４）における画像（β１）は、実像カムコーダの位置と同じウィンドウ位置を備えた投影を有する。画像のオーバーレイは画像α１上の画像β１において生じる。移動ウィンドウの光線フィルタ（１５）は、画像β１の上にオーバーレイされた画像α１から生じた光線のフィルトレーションを提供する。時刻Ｔ４では、このウィンドウは、時刻Ｔ３のときとは対向する側に対称的に配置され、対象物α’およびβ’に対して完全なフィルトレーションプロセスが反復される。
【００３４】
異なる時刻において、別個の光線が、視野における移動ウィンドウによってフィルタリングされるようになることにより、図２、３および４に記載されている完全なプロセスが実行される。移動ウィンドウから生じる別個の光線が、同一時刻において実像テレビジョンの投影範囲を満たす印象を与えるはずである。
【００３５】
時刻Ｔ３およびＴ４において３次元の実像を画像α１およびα１’の背後に挿入するためには、画像β１およびβ１’を、これらの画像の寸法が減少するように移動ウィンドウに近づく方向に移動させなければならない。時刻Ｔ３およびＴ４において３次元の実像を画像α１およびα１’の前方に挿入するためには、画像β１およびβ１’を、これらの画像の寸法が増大するように移動ウィンドウから離れる方向に移動させなければならない。この３次元画像は、実像テレビジョンの投影範囲に挿入されるときには、３次元画像が挿入された実像テレビジョンの半透明液晶における別の画像に対して背後または前方に配置されなければならないが、これは、挿入されている３次元画像が別の画像に対してより離れて、またはより近接して配置されるときのためである。
【００３６】
「カムコーダ（ｃａｍｃｏｄｅｒ）」および「カメラ（ｃａｍｅｒａ）」という表現は、この特許出願の明細書においては等しい意味を有するものとして用いられている。 
【図１】
2015008450.tif 000003
【図２】
2015008450.tif 000004
【図３】
2015008450.tif 000005
【図４】
2015008450.tif 000006
【外国語明細書】
2015008450000001.pdf